(57)【要約】【課題】有害金属の溶出を抑制しながら、組み立て性を向上させること。【解決手段】実施形態に係る湯水混合水栓は、外郭部材と、内部流路部材とを備える。外郭部材は、金属製の筒状部材であり、水栓の外郭を形成する。内部流路部材は、樹脂製の部材であり、内部に流路が形成され、外郭部材に挿入される。内部流路部材は、本体と、蓋体とを備える。本体は、水および湯を混合する湯水混合部と、湯水混合部で混合された湯水の流量を調整する流量調整部とが設けられる。蓋体は、本体の外周面に取り付けられ、本体に取り付けられた状態において本体の外周面との間に流路の一部を形成して内部流路部材で流路を完結させる。【選択図】図４Ｂ
2020026623.tif 000002
【特許請求の範囲】
【請求項１】
外郭を形成する金属製の筒状の外郭部材と、
前記外郭部材に挿入され、内部に流路が形成される樹脂製の内部流路部材と
を備え、
前記内部流路部材は、
それぞれの供給源から供給される水および湯を混合する湯水混合部と該湯水混合部で混合された湯水の流量を調整する流量調整部とが設けられる本体と、
前記本体の外周面に取り付けられ、前記本体に取り付けられた状態において該本体の前記外周面との間に前記流路の一部を形成して当該内部流路部材で前記流路を完結させる蓋体と
を備えることを特徴とする湯水混合水栓。
【請求項２】
前記蓋体は、前記本体に取り付けられた状態で前記内部流路部材の径方向に規制されることを特徴とする請求項１に記載の湯水混合水栓。
【請求項３】
前記本体と前記蓋体との間の流路は、前記本体の前記外周面に形成された凹部を有することを特徴とする請求項１または２に記載の湯水混合水栓。
【請求項４】
前記蓋体は、一方の係合部を有し、
前記本体は、前記蓋体が当該本体に取り付けられた状態で前記一方の係合部と係合する他方の係合部を有することを特徴とする請求項１〜３のいずれか１つに記載の湯水混合水栓。
【請求項５】
前記本体と前記蓋体との間に設けられるシール部材をさらに備え、
前記シール部材は、前記内部流路部材の径方向について位置ずれが許容されることを特徴とする請求項１〜４のいずれか１つに記載の湯水混合水栓。
【発明の詳細な説明】
【技術分野】
【０００１】
開示の実施形態は、湯水混合水栓に関する。
【背景技術】
【０００２】
従来、湯水の混合量および吐水量を調節して吐水口から湯水を吐出する湯水混合水栓において金属製の筒状の外郭部材に樹脂製の内部流路部材が挿入された構造が知られている（たとえば、特許文献１参照）。
【先行技術文献】
【特許文献】
【０００３】
【特許文献１】特開２００２−２２８０４０号公報
【発明の概要】
【発明が解決しようとする課題】
【０００４】
ところで、筒状の外郭部材に樹脂製の内部流路部材が挿入された構造においては、外郭部材と内部流路部材との間に流路の一部が形成されるため、外郭部材と内部流路部材との間にシール部材が必要となる。外郭部材と内部流路部材との間にシール部材がある場合、水密性を保つためにはシール部材を適切なしめ代で圧縮する必要がある。換言すれば、組み付ける際にシール部材を圧縮する必要がある。このとき、シール部材の圧縮方向は、外郭部材と内部流路部材との接触面方向、つまり、管（外郭部材）の径方向である。一方で、内部流路部材の挿入方向は、外郭部材の軸方向であり、圧縮方向と挿入方向が異なることから、組み立て性が極端に低下してしまうという課題を抱えていた。
【０００５】
また、外郭部材と内部流路部材との間に流路の一部が形成されるため、外郭部材を鉛などの有害金属を含有する合金で形成した場合に、全世界的に厳格化傾向にある溶出規制に適応できないおそれがある。
【０００６】
実施形態の一態様は、有害金属の溶出を抑制しながら、組み立て性を向上させることができる湯水混合水栓を提供することを目的とする。
【課題を解決するための手段】
【０００７】
実施形態の一態様に係る湯水混合水栓は、外郭を形成する金属製の筒状の外郭部材と、前記外郭部材に挿入され、内部に流路が形成される樹脂製の内部流路部材とを備え、前記内部流路部材は、それぞれの供給源から供給される水および湯を混合する湯水混合部と該湯水混合部で混合された湯水の流量を調整する流量調整部とが設けられる本体と、前記本体の外周面に取り付けられ、前記本体に取り付けられた状態において該本体の前記外周面との間に前記流路の一部を形成して当該内部流路部材で前記流路を完結させる蓋体とを備えることを特徴とする。
【０００８】
かかる構成によれば、内部流路部材で流路を完結させているため、内部流路部材が外郭部材に収容された状態で外郭部材と水とが接することがない。このため、外郭部材と内部流路部材との間をシール部材などでシールする必要がない。このように、外郭部材と水とが接しないことで有害金属の溶出を抑制しながら、内部流路部材の挿入時にシール部材の圧縮なども不要なため、組み立て性を向上させることができる。
【０００９】
また、内部流路部材で流路を完結させようとすると、流路が複雑化して金型の抜きなどの製造上の問題により内部流路部材の径が太くなり、水栓全体が大型化してしまうおそれがあるが、内部流路部材を本体と蓋体という２つの部材で構成することで、製造上の問題による大型化を抑えることができる。
【００１０】
また、前記蓋体は、前記本体に取り付けられた状態で前記内部流路部材の径方向に規制されることを特徴とする。
【００１１】
かかる構成によれば、本体に取り付けられた状態で蓋体が内部流路部材の径方向に規制されることで、蓋体が外れるのを防止することができる。
【００１２】
また、前記本体と前記蓋体との間の流路は、前記本体の前記外周面に形成された凹部を有することを特徴とする。
【００１３】
かかる構成によれば、本体と蓋体との間の流路を簡素な構成で形成することができる。
【００１４】
また、前記蓋体は、一方の係合部を有し、前記本体は、前記蓋体が当該本体に取り付けられた状態で前記一方の係合部と係合する他方の係合部を有することを特徴とする。
【００１５】
かかる構成によれば、一方および他方の係合部が係合することで、本体に対して蓋体が位置決めされ、蓋体を正しい位置に容易に取り付けることができる。
【００１６】
また、前記本体と前記蓋体との間に設けられるシール部材をさらに備え、前記シール部材は、前記内部流路部材の径方向について位置ずれが許容されることを特徴とする。
【００１７】
かかる構成によれば、内部流路部材の径方向について位置ずれが許容され、たとえば、蓋体が流路における水圧により内部流路部材の径方向の外向きへ移動した場合でもシール性を確保することができる。これにより、水栓の外部へ水などが漏れ出すのを防止することができる。
【発明の効果】
【００１８】
実施形態の一態様によれば、組み立て性を向上させることができる。
【図面の簡単な説明】
【００１９】
【図１】図１は、湯水混合水栓の斜視図である。
【図２】図２は、湯水混合水栓の正面図である。
【図３】図３は、図２におけるIII−III断面図である。
【図４Ａ】図４Ａは、流路の説明図（その１）である。
【図４Ｂ】図４Ｂは、流路の説明図（その２）である。
【図５】図５は、内部流路ユニットの斜視図である。
【図６】図６は、内部流路部材の分解斜視図である。
【図７】図７は、蓋体の斜視図である。
【図８】図８は、蓋体のシール構造の説明図である。
【発明を実施するための形態】
【００２０】
以下、添付図面を参照して、本願の開示する湯水混合水栓の実施形態を詳細に説明する。なお、以下に示す実施形態によりこの発明が限定されるものではない。
【００２１】
＜湯水混合水栓１の全体構成＞
まず、図１〜図３を参照して湯水混合水栓１の全体構成について説明する。図１は、湯水混合水栓１の斜視図である。図２は、湯水混合水栓１の正面図である。図３は、図２におけるIII−III断面図である。なお、図１〜図３には、説明の便宜上、鉛直上向きを正方向とするＺ軸を含む３次元の直交座標系を図示している。直交座標系は、他の図にも図示している場合がある。
【００２２】
直交座標系は、Ｘ軸の正方向を「左方」と規定し、Ｘ軸の負方向を「右方」と規定し、Ｙ軸の正方向を「前方」と規定し、Ｙ軸の負方向を「後方」と規定している。また、直交座標系は、Ｚ軸の正方向を「上方」と規定し、Ｚ軸の負方向を「下方」と規定している。このため、以下の説明では、Ｘ軸方向を左右方向、Ｙ軸方向を前後方向、Ｚ軸方向を上下方向という場合がある。
【００２３】
図１〜図３に示すように、湯水混合水栓１は、外郭部材２と、温度調整ハンドル３と、流量調整ハンドル４と、内部流路ユニット５と、吐水管６と、ハンドシャワー（不図示）とを備える。湯水混合水栓１は、吐水管６またはハンドシャワーから、水および湯を混合した混合水、または水を吐水する。
【００２４】
外郭部材２は、円筒状であり、水栓本体の外郭を形成し、左右方向に延設される。外郭部材２は、金属製の部材で構成される。外郭部材２は、左右方向に直交する断面が円形の内周面２ａを有する。外郭部材２の軸方向は、左右方向に一致する。なお、外郭部材２の外形は、円筒状に限らず、たとえば、矩形状でもよい。
【００２５】
外郭部材２には、後述する内部流路ユニット５が挿入される。外郭部材２には、下方から吐水管６を内部流路ユニット５に取り付けるための挿入孔が左右方向における中央付近に形成される。外郭部材２には、後方からハンドシャワーのシャワーホース７を内部流路ユニット５に取り付けるための挿入孔が左右方向における中央付近に形成される。
【００２６】
外郭部材２の左右いずれか一方の端部（たとえば、左端部）には、後方から給湯管８が取り付けられる。外郭部材２の左右いずれか他方の端部（たとえば、右端部）には、後方から給水管９が取り付けられる。
【００２７】
また、外郭部材２の左右いずれか一方の端部（たとえば、左端部）には、温度調整ハンドル３が取り付けられる。また、外郭部材２の左右いずれか他方の端部（たとえば、右端部）には、流量調整ハンドル４が取り付けられる。
【００２８】
温度調整ハンドル３は、外郭部材２に対して左右方向の軸（外郭部材２の中心軸）まわりに回動可能に取り付けられる。温度調整ハンドル３は、回動位置に応じて吐水管６またはハンドシャワーから吐水される流体の種類を、水または混合水に切り替える。具体的には、温度調整ハンドル３は、水に湯を混合するか否かを切り替える。温度調整ハンドル３は、吐水管６またはハンドシャワーから混合水を吐水する場合に、回動位置に応じて混合水の温度を設定する。
【００２９】
流量調整ハンドル４は、外郭部材２に対して左右方向の軸まわりに回動可能に取り付けられる。流量調整ハンドル４は、回動位置に応じて、水または混合水の吐水先を、吐水管６またはハンドシャワーに切り替える。流量調整ハンドル４は、回動位置に応じて、吐水管６またはハンドシャワーから吐水される水または混合水の流量を調整する。
【００３０】
＜内部流路ユニット５＞
次に、図３〜図５を参照して内部流路ユニット５について説明する。図４Ａおよび図４Ｂは、流路Ｒの説明図である。なお、図４Ｂは、図４ＡにおけるＡ部拡大図である。図４Ｂには、水導入流路Ｒｂの第２流路Ｒｂ２を示している。図５は、内部流路ユニット５の斜視図である。
【００３１】
内部流路ユニット５は、給水管９から供給される水を、外郭部材２の内周面２ａと、内部流路ユニット５の外周面（後述する内部流路部材５０の本体５１の外周面５１ａ）との間を通さずに流すユニットである。すなわち、内部流路ユニット５は、内部で流路Ｒを完結させたユニットである。図３に示すように、内部流路ユニット５は、内部流路部材５０と、温度調整機構（湯水混合部６０）と、流量調整機構（流量調整部７０）とを備える。
【００３２】
内部流路部材５０は、本体５１と、蓋体５２と、シール部材５３とを備える。本体５１は、外郭部材２の内周面２ａにあわせて、円筒状に形成される。本体５１の内部には、温度調整機構である湯水混合部６０と、流量調整機構である流量調整部７０とが設けられる。蓋体５２は、本体５１の外周面５１ａに取り付けられる。シール部材５３は、本体５１と蓋体５２との間に設けられる。なお、内部流路部材５０については、図６および図７を用いて後述する。
【００３３】
湯水混合部６０は、それぞれの供給源から供給される水と湯とを混合する。湯水混合部６０は、感温ばね６１と、バイアスばね６２と、弁体６３と、ライナ６４と、スピンドル６５とを備える。
【００３４】
感温ばね６１は、左右方向の中央側に設けられた第１支持ケース６６に収容される。感温ばね６１は、温度に応じてばね定数が変化するばねであり、たとえば、形状記憶合金によって構成される。感温ばね６１は、後述する弁体６３を左右いずれか一方（左方）に向けて付勢する。
【００３５】
バイアスばね６２は、第１支持ケース６６よりも左方に設けられた第２支持ケース６７に収容される。バイアスばね６２は、後述する吐水流路Ｒｃ（図４Ａ参照）に設けられる。バイアスばね６２は、温度に対してばね定数がほぼ一定のばねである。バイアスばね６２は、弁体６３を左右いずれか他方（右方）に向けて付勢する。
【００３６】
弁体６３は、第１支持ケース６６と第２支持ケース６７との間に設けられる。弁体６３は、左右方向に摺動可能となるように、隔離壁６８を介して本体５１に支持される。隔離壁６８は、後述する湯導入流路Ｒａと水導入流路Ｒｂとを左右方向において隔離する。弁体６３には、左右方向に貫通する貫通孔（不図示）が形成される。
【００３７】
弁体６３は、感温ばね６１の付勢力とバイアスばね６２の付勢力とに応じて左右方向に移動し、湯導入流路Ｒａと吐水流路Ｒｃとの連通状態を調整する。具体的には、弁体６３は、感温ばね６１の付勢力がバイアスばね６２の付勢力よりも大きい場合には、左方に移動する。弁体６３が左方に移動し、第１支持ケース６６に当接すると、湯導入流路Ｒａと吐水流路Ｒｃとの連通が遮断され、湯が吐水流路Ｒｃに流入しなくなる。
【００３８】
また、弁体６３は、バイアスばね６２の付勢力が感温ばね６１の付勢力よりも大きい場合には、右方に移動する。たとえば、弁体６３が第１支持ケース６６に当接した状態から、バイアスばね６２の付勢力が大きくなり、第１支持ケース６６から離間すると、湯導入流路Ｒａと吐水流路Ｒｃとが連通し、湯が吐水流路Ｒｃに流入する。
【００３９】
弁体６３は、第１支持ケース６６から離間した状態では、感温ばね６１の付勢力とバイアスばね６２の付勢力とが釣り合う位置に保持される。弁体６３と第１支持ケース６６との距離が長くなるほど、吐水流路Ｒｃに流入する湯量が多くなる。また、弁体６３と第１支持ケース６６との距離が長くなるほど、弁体６３と第２支持ケース６７との距離が短くなり、吐水流路Ｒｃに流入する水量が少なくなる。
【００４０】
ライナ６４は、バイアスばね６２の弁体６３とは反対側の端部に当接し、スピンドル６５を介して温度調整ハンドル３に接続される。スピンドル６５は、第２支持ケース６７に回動可能に支持され、温度調整ハンドル３の回動運動をライナ６４の左右方向における直進運動に変換する。このため、ライナ６４は、温度調整ハンドル３の回動に応じて左右方向に移動する。
【００４１】
湯水混合部６０では、温度調整ハンドル３の回動位置にあわせて、ライナ６４が左右方向に移動する。すなわち、湯水混合部６０は、温度調整ハンドル３の回動位置にあわせて、感温ばね６１の付勢力とバイアスばね６２の付勢力とが釣り合う位置に弁体の位置を変更することができる。これにより、湯水混合部６０は、混合水を吐水する場合に、混合水の温度を温度調整ハンドル３の回動位置に応じた設定温度とすることができる。
【００４２】
また、混合水を吐水する場合に、たとえば、湯の温度が変わり混合水の温度が変化すると、混合水の温度に応じて感温ばね６１が伸縮し、弁体６３が左右方向に移動し、弁体６３の釣り合い位置が自動的に変更される。これにより、吐水流路Ｒｃに流入する湯量および水量が調整され、混合水の温度が自動的に調整される。
【００４３】
流量調整部７０は、回動軸７１と、切替弁７２とを備える。回動軸７１は、支持ケース７３に収容され、支持ケース７３に回動可能に支持される。回動軸７１は、左右いずれか一方の端部が（右端部）が流量調整ハンドル４に接続され、他方の端部が切替弁７２に接続される。
【００４４】
切替弁７２は、吐水流路Ｒｃに設けられる。切替弁７２は、有底の円筒状であり、流量調整ハンドルの回動にあわせて回動し、本体５１の内周面５１ｂにおいて摺動する。切替弁７２は、本体５１に形成された２つの開口、すなわち、第１開口５１１および第２開口（不図示）へ向かうように設けられる。ここで、第１開口５１１は、たとえば、シャワーホース７へ通じる吐水口であり、第２開口は、たとえば、吐水管６へ通じる吐水口である。
【００４５】
また、切替弁７２には、連通口（不図示）が形成される。流量調整ハンドル４の回動にあわせて切替弁７２が回動することで、連通口は、第１開口５１１または第２開口と連通する。
【００４６】
流量調整ハンドル４が所定の止水位置にある場合には、連通口は、第１開口５１１および第２開口とは連通しない。このため、流量調整ハンドル４が所定の止水位置にある場合には、水または混合水は、吐水管６およびハンドシャワーから吐水されない。
【００４７】
また、流量調整ハンドル４が、止水位置から後方に向けて回動した場合には、たとえば、連通口が第１開口５１１（シャワーホース７へ通じる吐水口）と連通する。これにより、水または混合水は、第１開口５１１からシャワーホース７に流入し、ハンドシャワーから吐水される。
【００４８】
また、流量調整ハンドル４が、止水位置から前方に向けて回動した場合には、たとえば、連通口が第２開口（吐水管６へ通じる吐水口）と連通する。これにより、水または混合水は、第２開口から吐水管６に流入し、吐水管６から吐水される。
【００４９】
切替弁７２は、流量調整ハンドル４の回動位置に応じて連通口と、第１開口５１１または第２開口とが連通する面積を変更することができる。すなわち、流量調整部７０は、流量調整ハンドル４の回動位置にあわせて、吐水管６またはハンドシャワーから吐水される水または混合水の流量を調整することができる。
【００５０】
図４Ａおよび図４Ｂに示すように、内部流路ユニット５には、湯Ｗ１、水Ｗ２または混合水Ｗ３が流れる流路Ｒ（図３参照）が形成される。すなわち、流路Ｒは、湯導入流路Ｒａと、水導入流路Ｒｂと、吐水流路Ｒｃとを備える。
【００５１】
湯導入流路Ｒａは、第１接続部材１１を介して給湯管８から供給された湯Ｗ１が流れる。湯導入流路Ｒａは、本体５１と、湯水混合部６０の弁体６３と、第１支持ケース６６と、第２支持ケース６７と、隔離壁６８（いずれも、図３参照）とによって形成される。
【００５２】
水導入流路Ｒｂは、第２接続部材１２を介して給水管９から供給された水Ｗ２が流れる。水導入流路Ｒｂは、第１流路Ｒｂ１と、第２流路Ｒｂ２と、第３流路Ｒｂ３とを備える。第１流路Ｒｂ１は、本体５１と、流量調整部７０の支持ケース７３（いずれも、図３参照）とによって形成され、第２接続部材１２から水Ｗ２が流入する。
【００５３】
第２流路Ｒｂ２は、第１流路Ｒｂ１および第３流路Ｒｂ３と連通する。第２流路Ｒｂ２は、本体５１の外周面５１ａにおける前方の中央付近に形成された凹部５１２と、凹部５１２を覆う蓋体５２の内周面５２ａとによって形成される。
【００５４】
第２流路Ｒｂ２は、凹部５１２の左右いずれか一方（右方）の底部に形成された流入孔５１３を介して第１流路Ｒｂ１と連通し、第１流路Ｒｂ１から水Ｗ２が流入する。また、第２流路Ｒｂ２は、凹部５１２の左右いずれか他方（左方）の底部に形成された流出孔５１４を介して第３流路Ｒｂ３と連通し、第３流路Ｒｂ３に水Ｗ２を流出させる。
【００５５】
第３流路Ｒｂ３は、本体５１と、湯水混合部６０の第１支持ケース６６と、弁体６３と、隔離壁６８（いずれも、図３参照）とによって形成される。第３流路Ｒｂ３は、左右方向において隔離壁６８を挟んで湯導入流路Ｒａと隣り合うように形成される。
【００５６】
吐水流路Ｒｃは、湯導入流路Ｒａや水導入流路Ｒｂよりも本体５１の径方向の内側に、湯水混合部６０の第１支持ケース６６、第２支持ケース６７などによって形成される。吐水流路Ｒｃは、水導入流路Ｒｂの第３流路Ｒｂ３と連通し、第３流路Ｒｂ３から水が流入する。
【００５７】
また、吐水流路Ｒｃは、温度調整ハンドル３の回動に応じた湯水混合部６０の弁の移動によって湯導入流路Ｒａと連通可能である。吐水流路Ｒｃは、湯導入流路Ｒａと連通し、湯導入流路Ｒａから湯Ｗ１が流入した場合には、水Ｗ２と湯Ｗ１とを混合し、混合水Ｗ３を生成する。
【００５８】
吐水流路Ｒｃは、左右方向の中央付近で本体５１に形成された第１開口５１１を介してシャワーホース７と連通可能である。また、吐水流路Ｒｃは、左右方向の中央付近で本体５１に形成された第２開口（不図示）を介して吐水管６と連通可能である。また、吐水流路Ｒｃには、第１開口５１１や第２開口を開閉する、上記した切替弁７２が設けられる。
【００５９】
なお、湯導入流路Ｒａ、水導入流路Ｒｂおよび吐水流路Ｒｃを構成する部材には、各流路Ｒａ，Ｒｂ，Ｒｃから水などが漏れないようにシール部材が設けられている。
【００６０】
また、図５に示すように、内部流路ユニット５は、外郭部材２に挿入される。ここで、「挿入」とは、内部流路ユニット５を、外郭部材２の内周面２ａから摩擦抵抗を受けながら外郭部材２の軸方向に押し込むことをいう。蓋体５２は、内部流路ユニット５が外郭部材２に挿入された状態では、内部流路部材５０の本体５１の外周面５１ａ上において外郭部材２の内周面２ａによって本体５１の径方向の内側に向けて押さえ付けられ、本体５１の径方向の外側への移動が規制されている。
【００６１】
＜内部流路部材５０＞
次に、図６および図７を参照して内部流路部材５０について説明する。図６は、内部流路部材５０の分解斜視図である。図７は、蓋体５２の斜視図である。図６に示し、かつ、上記したように、内部流路部材５０は、樹脂製の部材であり、本体５１と、蓋体５２と、シール部材５３とを備える。本体５１は、円筒状であり、外周面５１ａにはリブ状の凸部５１５が設けられる。凸部５１５には、たとえば、本体５１の周方向に延びたもの、本体５１の軸方向に延びたものがある。
【００６２】
本体５１には、外周面５１ａの左右方向の中央付近に凹部５１２が形成される。凹部５１２は、長手方向が左右方向に沿った矩形状である。凹部５１２の内面（以下、「底面」という）５１２ａには、左右いずれか一方（右方）に水の流入孔５１３が形成され、左右いずれか他方（左方）に水の流出孔５１４が形成される。上記したように、流入孔５１３から凹部５１２に流入した水は、左右方向に流れて流出孔５１４から流出する。
【００６３】
また、凹部５１２の底面５１２ａには、左右方向の中央付近に係合凸部５１６が設けられる。係合凸部５１６は、長手方向が左右方向に沿った略矩形のブロック状である。このように、係合凸部５１６の長手方向が左右方向に沿っていることで、係合凸部５１６は水の流れを妨げにくいものとなる。係合凸部５１６は、後述する蓋体５２が取り付けられる場合に、蓋体５２の筒部５２１と係合する。
【００６４】
本体５１の外周面５１ａにおける凹部５１２の周辺には、突起部５１７が設けられる。なお、本体５１は、ＰＰＳ（ポリフェニレンサルファイド）などのような強度の高い樹脂で形成されることが好ましい。
【００６５】
蓋体５２は、本体５１の外周面５１ａにおいて凹部５１２を覆うように本体５１に取り付けられる。蓋体５２は、板状であり、本体５１に取り付けられた状態で本体５１の外周面５１ａにあわせて湾曲している。蓋体５２は、本体５１に取り付けられた状態で凹部５１２を覆うことで、本体５１の外周面５１ａとの間に、流路Ｒ（図３参照）の一部である水導入流路Ｒｂの第２流路Ｒｂ２（図４Ｂ参照）を形成する。
【００６６】
図７に示すように、蓋体５２は、左右方向の中央付近に筒部５２１が設けられる。筒部５２１は、蓋体５２が本体５１に取り付けられる場合に、凹部５１２の係合凸部５１６が筒部５２１に嵌入されることで、係合凸部５１６と係合する。すなわち、筒部５２１は、一方の係合部（「係合凹部」ともいう）であり、他方の係合部である係合凸部５１６と係合することで、本体５１に対して蓋体５２を位置決めする。なお、一方の係合部と他方の係合部とは、凹凸が逆に構成されてもよく、本体５１に筒部（係合凹部）が設けられ、蓋体５２に係合凸部が設けられてもよい。
【００６７】
蓋体５２の外周縁には、蓋体５２の外側へ向けて延びた腕部５２２が設けられる。腕部５２２は、孔５２２ａを有する。腕部５２２は、蓋体５２が本体５１に取り付けられる場合に本体５１の突起部５１７が孔５２２ａに入ることで、本体５１に蓋体５２保持する。なお、蓋体５２は、高強度が好ましい本体５１とは異なり、強度の弱い樹脂で形成されてもよい。
【００６８】
図６に示すように、シール部材５３は、軟質の樹脂製であり、環状に形成される、また、シール部材５３は、断面が円形状である。シール部材５３は、上記したように、本体５１と蓋体５２との間に設けられ、本体５１の外周面５１ａ（凹部５１２）と蓋体５２の内周面５２ａとの間をシールする。シール部材５３は、蓋体５２の内周縁に取り付けられる。
【００６９】
また、シール部材５３は、内部流路部材５０の径方向について位置ずれが許容される。すなわち、シール部材５３は、本体５１に蓋体５２が取り付けられた状態において内部流路部材５０の径方向に移動しても、シール性が確保される。
【００７０】
＜蓋体５２のシール構造＞
ここで、図８を参照して蓋体５２のシール構造について説明する。図８は、蓋体５２のシール構造の説明図である。図８には、本体５１、蓋体５２およびシール部材５３の断面を模式的に示している。
【００７１】
図８に示すように、蓋体５２が本体５１に取り付けられた状態で、シール部材５３は、凹部５１２の底面５１２ａとの間、凹部５１２の内側面５１２ｂとの間をそれぞれシールしている。また、シール部材５３は、図中における二点破線で示すように、蓋体５２が内部流路部材５０の径方向に移動しても、凹部５１２の内側面５１２ｂとの間をシールしている。
【００７２】
このように、内部流路部材５０の径方向についてシール部材５３の位置ずれが許容されることで、たとえば、蓋体５２が第２流路Ｒｂ２（図４Ｂ参照）における水圧により内部流路部材５０の径方向の外向きへ移動した場合でもシール性を確保することができる。これにより、水栓の外部へ水または混合水が漏れ出すのを防止することができる。
【００７３】
以上説明したように、実施形態に係る湯水混合水栓１によれば、内部流路部材５０で流路Ｒを完結させているため、内部流路部材５０が外郭部材２に挿入された状態で外郭部材２と水とが接することがない。このため、外郭部材２と内部流路部材５０との間をシール部材などでシールする必要がない。このように、外郭部材２と水とが接しないことで有害金属の溶出を抑制しながら、組み立て時、すなわち、内部流路部材５０の挿入時にシール部材の圧縮なども不要なため、組み立て性を向上させることができる。
【００７４】
また、内部流路部材５０で流路Ｒを完結させようとすると、流路Ｒが複雑化して金型の抜きなどの製造上の問題により内部流路部材５０の径が太くなり、水栓全体が大型化してしまうおそれがあるが、内部流路部材５０を本体５１と本体５１に対して別部材である蓋体５２という２つの部材で構成することで、製造上の問題による大型化を抑えることができる。
【００７５】
また、本体５１と蓋体５２との間の水導入流路Ｒｂの第２流路Ｒｂ２における水圧により蓋体５２が本体５１から外れてしまうおそれがあるが、本体５１に取り付けられた状態で蓋体５２が内部流路部材５０の径方向に規制されることで、蓋体５２が外れるのを防止することができる。
【００７６】
また、本体５１と蓋体５２との間の水導入流路Ｒｂの第２流路Ｒｂ２が本体５１の外周面５１ａに形成された凹部５１２により形成されることで、第２流路Ｒｂ２を簡素な構成で形成することができる。
【００７７】
また、本体５１側における凹部５１２の係合凸部５１６と蓋体５２側における筒部５２１とが係合することで、本体５１に対して蓋体５２が位置決めされ、蓋体５２を正しい位置に容易に取り付けることができる。
【００７８】
なお、上記した実施形態では、水導入流路Ｒｂの第２流路Ｒｂ２が、本体５１の外周面５１ａの凹部５１２と、蓋体５２の内周面５２ａとによって形成されるが、たとえば、蓋体５２側に左右方向に延びた流路が形成され、かかる流路を第２流路Ｒｂ２として用いてもよい。
【００７９】
また、上記した実施形態では、内部流路ユニット５に対して、左方の給湯管８から湯が供給され、右方の給水管から水が供給されるが、たとえば、右方から水が供給され、左方から湯が供給される構成でもよい。この場合、本体５１の凹部５１２と蓋体５２の内周面５２ａとによって形成される流路には湯が流れる。
【００８０】
また、上記した実施形態では、吐水流路Ｒｃに設けられた切替弁７２と連通する第１開口５１１および第２開口（不図示）が正面視において略同一の軸上に並んで配置されるが、第１開口５１１および第２開口が左右方向にずれて配置されてもよい。この場合、切替弁７２は、第１開口５１１および第２開口の両方と連通可能なように左右方向に延在するようになる。
【００８１】
さらなる効果や変形例は、当業者によって容易に導き出すことができる。このため、本発明のより広範な態様は、以上のように表しかつ記述した特定の詳細および代表的な実施形態に限定されるものではない。したがって、添付の特許請求の範囲およびその均等物によって定義される総括的な発明の概念の精神または範囲から逸脱することなく、様々な変更が可能である。
【符号の説明】
【００８２】
１    湯水混合水栓
２    外郭部材
５０    内部流路部材
５１    本体
５１ａ  外周面
５１２    凹部
５１６    他方の係合部
５２    蓋体
５２１    一方の係合部
５３    シール部材
６０    湯水混合部
７０    流量調整部
Ｒ    流路
【図１】
2020026623.tif 000003
【図２】
2020026623.tif 000004
【図３】
2020026623.tif 000005
【図４Ａ】
2020026623.tif 000006
【図４Ｂ】
2020026623.tif 000007
【図５】
2020026623.tif 000008
【図６】
2020026623.tif 000009
【図７】
2020026623.tif 000010
【図８】
2020026623.tif 000011